(57)【特許請求の範囲】
【請求項１】
液取入管、液送出管、オーバーフロー管、液側路管および気管が接続されている熱源発生部を設けた室外機が複数の室内機よりも上方に設置され、前記熱源発生部で相変化させた流体（以下、相変化流体という）を前記室内機に循環供給すことにより、各前記室内機で前記相変化流体の潜熱を利用して冷暖房を行う空調装置であって、
前記熱源発生部の最も低い部分に前記液送出管を接続し、前記液送出管の接続部分よりも高い前記熱源発生部の部分とレシーバタンクとの間に前記オーバーフロー管を接続するとともに、前記オーバーフロー管の接続部分よりも高い前記熱源発生部の部分に前記液取込管を接続することにより、前記相変化流体の液体（以下、相変化液体という）の所定量を前記熱源発生部に貯留するとともに、余剰の前記相変化液体を前記オーバーフロー管により溢出させて前記レシーバタンクに貯留する熱源液貯留手段と、
前記オーバーフロー管の接続部分よりも高い前記熱源発生部の部分に前記液側路管を接続するとともに、前記熱源発生部における相変化液体の貯留量（以下、熱源液貯留量という）が所定量以下になったときに、前記レシーバタンクに貯留されている相変化液体を、液側路管２４を介して、前記熱源発生部に注入することにより、前記熱源液貯留量を回復する熱源液量回復手段と、
前記熱源発生部の最も高い部分に前記気管を接続することにより、前記気管に前記相変化液体が漏れ込むことを回避する洩込回避手段と
を具備することを特徴とする空調装置。
【請求項２】
前記熱源発生部に前記液送出管を接続した部分を前記液送出管の上流側として、前記液送出管の下流側に、前記第１の冷暖切替弁１３、前記レシーバタンク、前記冷房用補助ポンプ、前記第２の冷暖切替弁を順次に配置して前記室内機に接続することにより、冷房運転時に、前記相変化液体を前記室内機に供給する前記相変化液体の流路と、
前記熱源発生部に前記液側路管２４を接続した部分を下流側として、前記液側路管の上流側を、前記開閉弁１７を介して、前記冷房用補助ポンプと前記第２の冷暖切替弁との間の前記液送出管に接続することにより、暖房運転時に、前記レシーバタンクに貯留した前記相変化液体を前記熱源発生部に供給する前記相変化液体の流路と、
前記熱源発生部にオーバーフロー管を接続した部分を下流側として、前記オーバーフロー管の上流側を、前記第１の冷暖切替弁と前記レシーバタンクとの間の前記液送出管、または、前記レシーバタンクに接続することにより、暖房運転時に、前記熱源発生部からの余剰の前記相変化液体を前記レシーバタンクに貯留する前記相変化液体の流路と、
前記レシーバタンクの上部と前記気管とを均圧管で接続した前記相変化流体の気体の流路と、
前記熱源発生部に前記液取入管２３を接続した部分を下流側として，前記液取入管の上流側の最も低い部分と、前記液送出管の下流側の最も低い部分との間に、前記液送出管の下流側から、第２のレシーバタンク、暖房用ポンプ、前記液取入管の下流側のみに流動を可能とする逆止弁を設けた前記相変化液体の流路と
を具備することを特徴とする請求項１記載の空調装置。
【請求項３】
前記第１の冷暖切替弁および前記第２の冷暖切替弁を開弁し、前記液側路管の前記開閉弁を閉弁し、前記熱源発生部で冷熱を発生させ、前記第レシーバタンク内に溜っている前記相変化液体が所定量より多いことを確認した後に、前記冷房用補助ポンプを起動して冷房運転を開始することを特徴とする請求項1または請求項２記載の空調装置の運転方法。
【請求項４】
前記第１の冷暖切替弁、前記第２の冷暖切替弁および前記液側路管の前記開閉弁を閉弁して前記暖房用ポンプを起動し、前記熱源発生部および前記レシーバタンク内に前記相変化液体を回収し、前記レシーバタンク内に回収された前記相変化液体が所定量より多いことを確認した後に、前記熱源発生部で温熱を発生させて暖房運転を開始することを特徴とする請求項1または請求項２記載の空調装置の運転方法。
【請求項５】
前記暖房運転を開始した後に、前記熱源発生部における前記相変化液体の液面が所定位置より低くなったときに、前記液側路管の前記開閉弁を開弁して前記冷房用補助ポンプを起動し、前記レシーバタンクから前記熱源発生部に前記相変化液体を還流させるように前記液面の制御を行うことを特徴とする請求項４記載の運転方法。
【請求項６】
前記暖房運転を開始した後に、前記熱源発生部における前記相変化流体の気体の過熱度を算出し、算出した過熱度が所定値を越えたときに、前記液側路管の前記開閉弁を開弁して前記冷房用補助ポンプを起動し、前記レシーバタンクから前記熱源発生部に前記相変化液体を還流させて前記相変化流体の気体の過熱度を下げる制御を行うことを特徴とする請求項４記載の運転方法。
【発明の詳細な説明】
【０００１】
【発明の属する技術分野】
本発明は空調技術に関するものであり、特に詳しくは室外機と、全数もしくは過半数が室外機より下方に設置された複数の室内機との間で、相変化可能な流体を循環させ、各室内機において冷暖房可能に構成した空調技術に関する。
【０００２】
【従来の技術】
この種の技術として、建物の屋上などに室外機として設置した吸収式冷凍機で発生させる冷熱または温熱によって相変化した流体が、冷暖房何れの運転においても各階に分散して配置した室内機に自然に循環供給されるように構成したビルの空調システムが、例えば特開平７−３１８１８９号公報に提案されている。
【０００３】
【発明が解決しようとする課題】
しかし、上記構成の空調システムにおいては、例えば室外機の吸収式冷凍機で発生させた温熱によって蒸発した気体を室内機に循環供給して暖房運転を行う際に、吸収式冷凍機の熱源発生部に還流する液体の量が充分でないときには、熱源発生部で発生する熱量を充分に流体に伝達することができないため、室内機が要求している熱量の供給ができないばかりか、蒸発した気体の過熱度が大きくなり過ぎたり、室外機である吸収式冷凍機の熱源発生部の温度が異常高を示して停止すると云った不都合があった。
【０００４】
また、吸収式冷凍機の熱源発生部に還流する液体の量が多過ぎると、気管内に液体が入り込んで気体の流れを妨害したり、室内機にまで入り込んで暖房能力を低下させるなどと云った問題点があり、これらの解決が課題となっていた。
【０００５】
【課題を解決するための手段】
本発明は、上記のような
液取入管、液送出管、オーバーフロー管、液側路管および気管が接続されている熱源発生部を設けた室外機が複数の室内機よりも上方に設置され、上記の熱源発生部で相変化させた流体（以下、相変化流体という）を上記の室内機に循環供給すことにより、各上記の室内機で上記の相変化流体の潜熱を利用して冷暖房を行う空調装置において、
上記の熱源発生部の最も低い部分に上記の液送出管を接続し、上記の液送出管の接続部分よりも高い上記の熱源発生部の部分とレシーバタンクとの間に上記のオーバーフロー管を接続するとともに、上記のオーバーフロー管の接続部分よりも高い上記の熱源発生部の部分に上記の液取込管を接続することにより、上記の相変化流体の液体（以下、相変化液体という）の所定量を上記の熱源発生部に貯留するとともに、余剰の上記の相変化液体を上記のオーバーフロー管により溢出させて上記のレシーバタンクに貯留する熱源液貯留手段と、
上記のオーバーフロー管の接続部分よりも高い上記の熱源発生部の部分に上記の液側路管を接続するとともに、上記の熱源発生部における相変化液体の貯留量（以下、熱源液貯留量という）が所定量以下になったときに、上記のレシーバタンクに貯留されている相変化液体を、液側路管２４を介して、上記の熱源発生部に注入することにより、上記の熱源液貯留量を回復する熱源液量回復手段と、
上記の熱源発生部の最も高い部分に上記の気管を接続することにより、上記の気管に上記の相変化液体が漏れ込むことを回避する洩込回避手段と
を設ける第１の構成と、
【０００６】
上記の第１の構成において、
上記の熱源発生部に上記の液送出管を接続した部分を上記の液送出管の上流側として、上記の液送出管の下流側に、上記の第１の冷暖切替弁１３、上記のレシーバタンク、上記の冷房用補助ポンプ、上記の第２の冷暖切替弁を順次に配置して上記の室内機に接続することにより、冷房運転時に、上記の相変化液体を上記の室内機に供給する上記の相変化液体の流路と、
上記の熱源発生部に上記の液側路管２４を接続した部分を下流側として、上記の液側路管の上流側を、上記の開閉弁１７を介して、上記の冷房用補助ポンプと上記の第２の冷暖切替弁との間の上記の液送出管に接続することにより、暖房運転時に、上記のレシーバタンクに貯留した上記の相変化液体を上記の熱源発生部に供給する上記の相変化液体の流路と、
上記の熱源発生部にオーバーフロー管を接続した部分を下流側として、上記のオーバーフロー管の上流側を、上記の第１の冷暖切替弁と上記のレシーバタンクとの間の上記の液送出管、または、上記のレシーバタンクに接続することにより、暖房運転時に、上記の熱源発生部からの余剰の上記の相変化液体を上記のレシーバタンクに貯留する上記の相変化液体の流路と、
上記のレシーバタンクの上部と上記の気管とを均圧管で接続した上記の相変化流体の気体の流路と、
上記の熱源発生部に上記の液取入管２３を接続した部分を下流側として，上記の液取入管の上流側の最も低い部分と、上記の液送出管の下流側の最も低い部分との間に、上記の液送出管の下流側から、第２のレシーバタンク、暖房用ポンプ、上記の液取入管の下流側のみに流動を可能とする逆止弁を設けた上記の相変化液体の流路と
を設ける第２の構成と、
【０００７】
上記の第１の構成または上記の第２の構成の運転方法において、
上記の第１の冷暖切替弁および上記の第２の冷暖切替弁を開弁し、上記の液側路管の上記の開閉弁を閉弁し、上記の熱源発生部で冷熱を発生させ、上記の第レシーバタンク内に溜っている上記の相変化液体が所定量より多いことを確認した後に、上記の冷房用補助ポンプを起動して冷房運転を開始するようにした
第１の運転方法と、
【０００８】
上記の第１の構成または上記の第２の構成の運転方法において、
上記の第１の冷暖切替弁、上記の第２の冷暖切替弁および上記の液側路管の上記の開閉弁を閉弁して上記の暖房用ポンプを起動し、上記の熱源発生部および上記のレシーバタンク内に上記の相変化液体を回収し、上記のレシーバタンク内に回収された上記の相変化液体が所定量より多いことを確認した後に、上記の熱源発生部で温熱を発生させて暖房運転を開始するようにした
第２の運転方法と、
【０００９】
上記の第２の運転方法において、
上記の暖房運転を開始した後に、上記の熱源発生部における上記の相変化液体の液面が所定位置より低くなったときに、上記の液側路管の上記の開閉弁を開弁して上記の冷房用補助ポンプを起動し、上記のレシーバタンクから上記の熱源発生部に上記の相変化液体を還流させるように上記の液面の制御を行うようにした
第３の運転方法と、
【００１０】
上記の第２の運転方法において、
上記の暖房運転を開始した後に、上記の熱源発生部における上記の相変化流体の気体の過熱度を算出し、算出した過熱度が所定値を越えたときに、上記の液側路管の上記の開閉弁を開弁して上記の冷房用補助ポンプを起動し、上記のレシーバタンクから上記の熱源発生部に上記の相変化液体を還流させて上記の相変化流体の気体の過熱度を下げる制御を行うようにした
第４の運転方法とにより、上記の課題を解決したものである。
【００１１】
【発明の実施の形態】
以下、本発明の一実施形態を図１に基づいて説明する。本発明の空調装置は、例えばビルの屋上などに設置される室外機１０と、各階に分散して設置される多数の室内機３０と、地下室などの最も低い部分に設置される暖房用ポンプユニット４０と、これらを接続して相変化が可能な流体、例えば冷媒のＲ−１３４ａを循環させるための配管群とから構成される。
【００１２】
室外機１０は、ガスバーナなどで生成する熱を利用して運転し、これにより冷熱と温熱との選択的供給が可能な吸収冷凍機１１を備え、外部に対して熱源発生部として機能する図示しない蒸発器の伝熱管１２の最も低い部分に液送出管２１が連結され、その途中に冷暖切替弁１３・レシーバタンク１４・冷房用補助ポンプ１５・冷暖切替弁１６が吸収冷凍機１１側から直列に介在設置されている。
【００１３】
なお、吸収冷凍機の蒸発器内部に設けた伝熱管１２から冷熱を供給したり、温熱を供給することができるものとしては、例えば特開平７−３１８１８９号公報などに開示されたものが使用できる。また、冷房運転時には外気温度が高いために途中の配管などに滞留するＲ−１３４ａは蒸発して気体になる。一方、暖房運転時は外気温度が低いために配管などに滞留するＲ−１３４ａは凝縮して液体となる。このため、暖房運転時には冷房運転時より多くのＲ−１３４ａが必要となるので、暖房運転時に過不足をきたさないように封入したＲ−１３４ａが冷房運転時に過剰とならいように、レシーバタンク１４の容積を決定する。
【００１４】
そして、暖房運転時に必要な液面高さが確保できる伝熱管１２の高さにオーバーフロー管２２が接続され、その他端が液送出管２１の冷暖切替弁１３とレシーバタンク１４との間に接続され、オーバーフロー管２２の接続部より高い部位の伝熱管１２に液取入管２３と液側路管２４とが接続され、液側路管２４には開閉弁１７が介在設置され、その他端は液送出管２１の冷房用補助ポンプ１５と冷暖切替弁１６との間に接続されている。
【００１５】
さらに、伝熱管１２の最上部には気管２５が接続され、この気管２５とレシーバタンク１４の上部とは均圧管２６によって連結されている。
【００１６】
また、室外機１０には伝熱管１２内を流れている液体のＲ−１３４ａの液面レベルを検出するための液面センサ１８と、レシーバタンク１４内に溜った液体のＲ−１３４ａの液面レベルを検出するための液面センサ１９と、これらの液面センサなどの出力に基づいて冷暖切替弁１３・１６や開閉弁１７の開閉を制御したり、冷房用補助ポンプ１５や、後述する暖房用ポンプ４２の運転を制御するための制御装置２０も設けられている。
【００１７】
各室内機３０は、それぞれに伝熱管３１と膨張弁３２と送風機３３とを有し、各伝熱管３１の一端は気管２５の縦管２５ａから分岐して水平方向に延設された横引き管２５ｂに接続され、他端は液送出管２１の縦管２１ａから分岐して水平方向に延設された横引き管２１ｂに膨張弁３２を介して連結されている。
【００１８】
液送出管２１の縦管２１ａの終端、すなわち最も低い部分に液取入管２３の始端が接続され、液取入管２３の始端側にＵ字状部が設けられ、そこに暖房用ポンプユニット４０を構成しているレシーバタンク４１・暖房用ポンプ４２・逆止弁４３が図示したように直列に介在設置されている。
【００１９】
また、制御装置２０は、図示しないパネル面に設けたボタンスイッチなどによって冷暖房運転の指示が行えるようにも構成されていて、例えば冷房運転が指示されると、先ず冷暖切替弁１３・１６を開弁させるための所要の制御信号を出力すると共に、開閉弁１７を閉弁させるための所要の制御信号を出力する。
【００２０】
さらに、吸収冷凍機１１には再生器で加熱して蒸発した冷媒が凝縮器に送られて放熱凝縮し、この凝縮した冷媒液が蒸発器に送られて蒸発するための所要の弁制御などの指示がなされるようにも構成されていて、吸収冷凍機１１の蒸発器で蒸発する冷媒の気化熱によって気体のＲ−１３４ａは伝熱管１２の管壁を介して冷却されて凝縮し、所定の低温度、例えば７℃の液体となって液送出管２１に吐出し、レシーバタンク１４に流れ込み溜る。
【００２１】
また、制御装置２０は、レシーバタンク１４に溜っているＲ−１３４ａの液面が液面センサ１９によって、予め設定した所定のレベル以上（満杯に近い状態）になったことが確認されると、冷房用補助ポンプ１５を起動させるための制御信号を出力するようにも構成されている。
【００２２】
冷房用補助ポンプ１５が起動すると、室外機１０のレシーバタンク１４に溜っている液体のＲ−１３４ａは液送出管２１の縦管２１ａ・横引き管２１ｂを介して、各階に分散設置した室内機３０に供給される。
【００２３】
室内機３０に供給された温度の低い液体のＲ−１３４ａは、膨張弁３２を介して伝熱管３１に流入し、送風機３３によって供給される温度の高い室内空気からその伝熱管３１の管壁を介して熱を奪い、蒸発して冷房作用を行う。この冷房作用によって蒸発した気体のＲ−１３４ａは、Ｒ−１３４ａが凝縮して圧力が低くなっている室外機１０の吸収冷凍機１１の伝熱管１２に気管２５を介して戻る循環が行われる。
【００２４】
一方、制御装置２０を操作して暖房運転を指示すると、制御装置２０は先ず冷暖切替弁１３・１６と開閉弁１７を閉弁させるための制御信号を出力すると共に、暖房用ポンプ４２を起動させるための制御信号を出力する。
【００２５】
そして、暖房用ポンプ４２の起動によって、液取入管２３の始端側に滞留している液体のＲ−１３４ａは吸収冷凍機１１の伝熱管１２に回収される。伝熱管１２に流入する量が多くなるとオーバーフロー管２２を介して液体のＲ−１３４ａはレシーバタンク１４に流れ込む。そして、液面センサ１９が検出するレシーバタンク１４内のＲ−１３４ａの液面が、予め設定した所定レベルに達すると、制御装置２０から吸収冷凍機１１に所要の制御信号が出力されて、再生器で加熱されて蒸発した冷媒と吸収液とが直接蒸発器に送られるようになっている。
【００２６】
したがって、室外機１０においては吸収冷凍機１１の再生器から蒸発器に流入する高温の冷媒蒸気や吸収液によって、液体のＲ−１３４ａは伝熱管１２の管壁を介して加熱されて蒸発し、所定の高温度、例えば５５℃の気体となって気管２５に吐出し、室内機３０に供給される。
【００２７】
なお、レシーバタンク１４内に溜ったＲ−１３４ａの液面が液面センサ１９によって所定レベルに達したことが確認され、吸収冷凍機１１による加熱を開始する際に、暖房用ポンプ４２の運転を一旦停止し、吸収冷凍機１１による加熱によって伝熱管１２内のＲ−１３４ａの温度か圧力が所定値に達した後、暖房用ポンプ４２の運転を再開するように制御装置２０の制御を構成することもできる。この制御を行えば、室内機３０ではより速やかな温風取り出しが可能になる。
【００２８】
各室内機３０においては、送風機３３によって供給される温度の低い室内空気に気体のＲ−１３４ａが伝熱管３１の管壁を介して放熱して凝縮液化し、この凝縮時に暖房作用を行ない、さらに、凝縮した液体のＲ−１３４ａが膨張弁３２を通ってレシーバタンク４１に流れ込み、暖房用ポンプ４２によって室外機１０に還流すると云ったＲ−１３４ａの循環が起こって、暖房運転が継続される。
【００２９】
運転中は負荷の変動、室外機１０の吸収冷凍機１１の起動／停止などにより、配管内圧力は変動するので、Ｒ−１３４ａの循環量も常に変動し、伝熱管１２内での液体のＲ−１３４ａのレベルも絶えず変動する。そして、伝熱管１２内の液体のＲ−１３４ａの液面が低下し過ぎると、吸収冷凍機１１で発生させた熱量を液体のＲ−１３４ａに伝達するのに必要な伝熱面積が確保できなくなり、室内機３０が必要とする量を搬送することができなくなる。
【００３０】
このため、暖房運転中に液面センサ１８が検出する伝熱管１２内にある液体のＲ−１３４ａの液面が、予め設定した所定の回収開始レベルより低くなると、制御装置２０は所要の制御信号を出力して開閉弁１７を開弁させると共に、冷房用補助ポンプ１５を起動させ、レシーバタンク１４に溜っている液体のＲ−１３４ａを液側路管２４を介して吸収冷凍機１１の伝熱管１２に注入し、伝熱管１２内におけるＲ−１３４ａの液面レベルの回復を図る。
【００３１】
この操作によって、伝熱管１２内で液体のＲ−１３４ａが不足することがなくなるので、Ｒ−１３４ａが過熱されたり、吸収冷凍機１１の加熱能力に余力があるにも拘らず室内機３０が必要とする熱量に相当する気体のＲ−１３４ａを発生させることができなくて、必要な暖房が行えないと云った不都合が回避される。
【００３２】
なお、開閉弁１７の閉弁操作と冷房用補助ポンプ１５の停止操作とは、液面センサ１８が検出するＲ−１３４ａの液面が前記回収開始レベルより高い回収停止レベルに達したときに、制御装置２０から所要の制御信号を出力して行う。
【００３３】
また、液取入管２３を介して伝熱管１２に流入する液体のＲ−１３４ａの量が多くなると、余剰となった液体のＲ−１３４ａはオーバーフロー管２２を介してレシーバタンク１４に入り込むので、伝熱管１２から気管２５に漏れ込んで蒸発したＲ−１３４ａの循環を阻害すると云ったことは回避される。
【００３４】
なお、液面センサ１８によって伝熱管１２内における液体のＲ−１３４ａの液面低下を検出する代わりに、伝熱管１２内で蒸発した気体のＲ−１３４ａの温度と圧力からそのときの過熱度を求め、過熱度が所定値を越えたときに開閉弁１７を開弁して冷房用補助ポンプ１５を起動し、過熱度が完全に、あるいはある程度解消したときに開閉弁１７を閉弁して冷房用補助ポンプ１５を停止するように制御装置２０によって各機器を制御するように構成することも可能である。
【００３５】
なお、室外機１０と室内機３０との間で循環させる相変化可能な流体としては、Ｒ−１４３ａの他にも、Ｒ−４０７ｃ、Ｒ−４０４Ａ、Ｒ−４１０ｃなどであっても良い。
ここで、以上の構成を要約すると、概括的には、第１には、
液取入管２３、液送出管２１、オーバーフロー管２３、液側路管２４および気管２５が接続されている熱源発生部（伝熱管１２）を設けた室外機１０が複数の室内機３０よりも上方に設置され、熱源発生部（伝熱管１２）で相変化させた流体（以下、相変化流体という）（Ｒ−１３４ａ）を室内機３０に循環供給することにより、各室内機３０で相変化流体（Ｒ−１３４ａ）の潜熱を利用して冷暖房を行う空調装置において、
熱源発生部（伝熱管１２）の最も低い部分に液送出管２１を接続し、液送出管２１の接続部分よりも高い熱源発生部（伝熱管１２）の部分とレシーバタンク１４との間にオーバーフロー管２２を接続するとともに、オーバーフロー管２２の接続部分よりも高い熱源発生部（伝熱管１２）の部分に液取込管２３を接続することにより、相変化流体の液体（液体のＲ−１３４ａ）（以下、相変化液体という）の所定量を熱源発生部（伝熱管１２）に貯留するとともに、余剰の相変化液体（液体のＲ−１３４ａ）をオーバーフロー管２２により溢出させて上記のレシーバタンク１４に貯留すると熱源液貯留手段と、
オーバーフロー管２２の接続部分よりも高い熱源発生部（伝熱管１２）の部分に液側路管２４を接続するとともに、熱源発生部（伝熱管１２）における相変化液体（液体のＲ−１３４ａ）の貯留量（以下、熱源液貯留量という）が所定量以下になったときに、レシーバタンク１４に貯留されている相変化液体（液体のＲ−１３４ａ）を、液側路管２４を介して、熱源発生部（伝熱管１２）に注入することにより、上記の熱源液貯留量を回復する熱源液量回復手段と、
上記の熱源発生部（伝熱管１２）の最も高い部分に上記の気管２５を接続することにより、上記の気管２５に上記の相変化液体（液体のＲ−１３４ａ）が漏れ込むことを回避する洩込回避手段と
を設けた上記の第１の構成を構成していることになるものである。
また、第２には、上記の第１の構成において、
熱源発生部（伝熱管１２）に液送出管２１を接続した部分を液送出管２１の上流側として、液送出管２１の下流側に、第１の冷暖切替弁１３、第１のレシーバタンク１４、冷房用補助ポンプ１５、第２の冷暖切替弁１６を順次に配置して室内機３０に接続することにより、冷房運転時に、相変化液体（液体のＲ−１３４ａ）を室内機３０に供給する相変化液体（液体のＲ−１３４ａ）の流路と、
熱源発生部（伝熱管１２）に液側路管２４を接続した部分を下流側として、液側路管２４の上流側を、開閉弁１７を介して、冷房用補助ポンプ１５と第２の冷暖切替弁１６との間の液送出管２１に接続することにより、暖房運転時に、第１のレシーバタンク１３に貯留した相変化液体（液体のＲ−１３４ａ）を熱源発生部（伝熱管１２）に供給する相変化液体（液体のＲ−１３４ａ）の流路と、
熱源発生部（伝熱管１２）にオーバーフロー管２２を接続した部分を下流側として、オーバーフロー管２２の上流側を、第１の冷暖切替弁１３と第１のレシーバタンク１４との間の液送出管２１、または、第１のレシーバタンク１４に接続することにより、暖房運転時に、熱源発生部（伝熱管１２）からの余剰の相変化液体（液体のＲ−１３４ａ）を第１のレシーバタンク１４に貯留する相変化液体（液体のＲ−１３４ａ）の流路と、
第１のレシーバタンク１４の上部と気管２５とを均圧管２６で接続した相変化流体の気体（気体のＲ−１３４ａ）の流路と、
熱源発生部（伝熱管１２）に液取入管２３を接続した部分を下流側として，液取入管２３の上流側の最も低い部分と、液送出管２１の下流側の最も低い部分との間に、液送出管２１の下流側から、第２のレシーバタンク４１、暖房用ポンプ４２、液取入管２３の下流側のみに流動を可能とする逆止弁４３を設けた相変化液体（液体のＲ−１３４ａ）の流路と
を設けた上記の第２の構成を構成していることになるものである。
さらに、第３には、上記の第１の構成または上記の第２の構成の運転方法において、
上記の第１の冷暖切替弁１３、上記の第２の冷暖切替弁１６および上記の液側路管２４の上記の開閉弁１７を閉弁して上記の暖房用ポンプ４２を起動し、上記の熱源発生部（伝熱管１２）および上記のレシーバタンク１４内に上記の相変化液体（液体のＲ−１３４ａ）を回収し、上記のレシーバタンク１４内に回収された上記の相変化液体（液体のＲ−１３４ａ）が所定量より多いことを確認した後に、上記の熱源発生部（伝熱管１２）で温熱を発生させるようにした
上記の第１の運転方法を構成していることになるものである。
そして、第４には、上記の第１の構成または上記の第２の構成の運転方法において、
上記の第１の冷暖切替弁１３、上記の第２の冷暖切替弁１６および上記の液側路管２４の上記の開閉弁１７を閉弁して上記の暖房用ポンプ４２を起動し、上記の熱源発生部（伝熱管１２）および上記のレシーバタンク１４内に上記の相変化液体（液体のＲ−１３４ａ）を回収し、上記のレシーバタンク１４内に回収された上記の相変化液体（液体のＲ−１３４ａ）が所定量より多いことを確認した後に、上記の熱源発生部（伝熱管１２）で温熱を発生させて暖房運転を開始するようにした
上記の第２の運転方法を構成していることになるものである。
また、第５には、上記の第２の運転構成において、
上記の暖房運転を開始した後に、上記の熱源発生部１２における上記の相変化液体（液体のＲ−１３４ａ）の液面が所定位置より低くなったときに、上記の液側路管２４の上記の開閉弁１７を開弁して上記の冷房用補助ポンプ１５を起動し、上記のレシーバタンク１４から上記の熱源発生部（伝熱管１２）に上記の相変化液体（液体のＲ−１３４ａ）を還流させるように上記の液面の制御を行うようにした
上記の第３の運転方法を構成していることになるものである。
さらに、第６には、上記の第２の運転構成において、
上記の暖房運転を開始した後に、上記の熱源発生部（伝熱管１２）における上記の相変化流体の気体（気体のＲ−１３４ａ）の過熱度を算出し、算出した過熱度が所定値を越えたときに、上記の液側路管２４の上記の開閉弁１７を開弁して上記の冷房用補助ポンプ１５を起動し、上記のレシーバタンク１４から上記の熱源発生部（伝熱管１２）に上記の相変化液体（液体のＲ−１３４ａ）を還流させて上記の相変化流体の気体（気体のＲ−１３４ａ）の過熱度を下げる制御を行うようにした
上記の第４の運転方法を構成していることになるものである。
【００３６】
【発明の効果】
以上説明したように本発明によれば、相変化可能な流体を冷暖房何れの運転においても、室外機と室内機との間で過不足なく循環させることができるので、室内機により常に正常な状態で空調が行われる。
【図面の簡単な説明】
【図１】本発明の一実施形態を示す説明図である。
【符号の説明】
１０  室外機
１１  吸収冷凍機
１２  伝熱管
１３  冷暖切替弁
１４  レシーバタンク
１５  冷房用補助ポンプ
１６  冷暖切替弁
１７  開閉弁
１８・１９  液面センサ
２０  制御装置
２１  液送出管
２２  オーバーフロー管
２３  液取入管
２４  液側路管
２５  気管
２６  均圧管
３０  室内機
３１  伝熱管
３２  膨張弁
３３  送風機
４０  暖房ポンプユニット
４１  レシーバタンク
４２  暖房用ポンプ
４３  逆止弁
【図１】
0003831522.tif 000002